(57)【要約】      （修正有）【課題】結ぶ必要がなく、着用がより快適で実用的なネクタイを提供する。【解決手段】ネクタイ１０は、ネクタイの２つの端部１１、１２のうちの一方の端部１１から離れて配置された１つまたは複数の結合要素２０を有する。結合要素は、ネクタイの２つの対向する縁部を合わせて保持し、ネクタイの一方の端部１１を取り入れて通すことができる閉ループ通路１３を画定する。【選択図】図８
0003216101.tif 000002
【実用新案登録請求の範囲】
【請求項１】
２つの対向する長手方向端部（１１、１２）を有する生地片または他の可撓性シート材料片を備えるネクタイ（１０）であって、前記ネクタイは、前記２つの端部のうち少なくとも第１の端部（１１）から離れた位置に形成され、そのことにより前記第１の端部（１１）を取り込んで通すことができる閉ループ通路（１３）を画定するように構成された１つまたは複数の結合手段（２０〜２７）を前記ネクタイ上に備えることを特徴とする、ネクタイ（１０）。
【請求項２】
前記結合手段は、前記ネクタイの前記第１の端部（１１）とは反対側の前記第２の端部（１２）の近傍に配置されることを特徴とする、請求項１に記載のネクタイ。
【請求項３】
前記ネクタイは、前記ネクタイが伸びる長手方向に垂直な第２の横方向に対向する２つの縁部（１４、１５）を有し、前記結合手段は、前記縁部（１４、１５）両方の近傍に配置されることを特徴とする、請求項１または２に記載のネクタイ。
【請求項４】
前記締結手段は、前記閉ループ通路（１３）が長手方向に伸びる管状通路となるように、長手方向に分布する、または伸びることを特徴とする、請求項１または２または３に記載のネクタイ。
【請求項５】
前記結合手段は、少なくとも１つのボタン（２０）および前記ボタンと横方向に位置合わせされた少なくとも１つの対応するボタン穴（２１）、または長手方向に離間した複数のボタンおよび前記ボタンと横方向に位置合わせされた位置にそれぞれ配置された複数の対応するボタン穴を備える、請求項１〜４のいずれか一項に記載のネクタイ。
【請求項６】
前記結合手段は、着脱ボタン（２２）、Ｖｅｌｃｒｏタイプの面ファスナ（２３、２４）、ジップファスナ（２７）から選択された少なくとも１つの迅速な連結手段を備える、請求項１〜５のいずれか一項に記載のネクタイ。
【請求項７】
前記結合手段は、前記縁部（１４、１５）を接合することによって通路（１３）を画定する縫い目（２６）を備える、請求項１または２または３に記載のネクタイ。
【請求項８】
前記結合手段は、前記ネクタイに縫い付けられたスリーブ（２５）を備える、請求項１または２または３に記載のネクタイ。
【請求項９】
前記結合手段は、少なくとも１対の横方向に整列したボタン穴（２１）、または長手方向に離間した複数の組の横方向に整列したボタン穴を含む、請求項１〜４のいずれか一項に記載のネクタイ。
【考案の詳細な説明】
【技術分野】
【０００１】
本考案は、結び目の無いネクタイに関する。
【背景技術】
【０００２】
周知のように、従来のネクタイは、２つの自由端が胸の前でぶら下がった状態で、シャツの襟の周囲で結ばれる成形生地片からなる。
【考案の概要】
【考案が解決しようとする課題】
【０００３】
本考案の目的は、結ぶ必要がなく、着用がより快適で実用的なネクタイを提供することである。
【課題を解決するための手段】
【０００４】
以下においてより理解されるであろう上記および他の目的ならびに利点は、本考案に従って、添付の特許請求の範囲に記載される特徴を有するネクタイによって達成される。
【０００５】
本考案に係るネクタイの好適であるが限定的ではないいくつかの実施形態の特徴を、添付図面を参照しながら説明する。
【図面の簡単な説明】
【０００６】
【図１】本考案の対応する実施形態に係るネクタイを折り畳まれていない状態で示した概略図である。
【図２】本考案の対応する実施形態に係る別のネクタイを折り畳まれていない状態で示した概略図である。
【図３】本考案の対応する実施形態に係る別のネクタイを折り畳まれていない状態で示した概略図である。
【図４】本考案の対応する実施形態に係る別のネクタイを折り畳まれていない状態で示した概略図である。
【図５】本考案の対応する実施形態に係る別のネクタイを折り畳まれていない状態で示した概略図である。
【図６】図５に示されるタイプの結合手段を有するネクタイの変形形態を着用した状態で示した図である。
【図７】図５に示されるタイプの結合手段を有するネクタイの変形形態を着用した状態で示した図である。
【図８】図５に示されるタイプの結合手段を有するネクタイの変形形態を着用した状態で示した図である。
【図９】本考案の別の実施形態に係るネクタイを折り畳まれていない状態で示した概略図である。
【図１０】図９に示されるタイプの結合手段を有するネクタイの変形形態を、着用した状態で示した図である。
【図１１】図９に示されるタイプの結合手段を有するネクタイの変形形態を着用した状態で示した図である。
【図１２】図９に示されているタイプの結合手段を有するネクタイの変形形態を着用した状態で示した図である。
【図１３】本考案のさらに異なる実施形態に係るネクタイを折り畳まれていない状態で示した概略図である。
【図１４】図１３に示されるタイプの結合手段を有するネクタイの変形形態を着用した状態で示した図である。
【図１５】図１３に示されるタイプの結合手段を有するネクタイの変形形態を着用した状態で示した図である。
【図１６】図１３に示されるタイプの結合手段を有するネクタイの変形形態を着用した状態で示した図である。
【図１７】本考案の別のさらに異なる実施形態に係るネクタイを折り畳まれていない状態で示した概略図である。
【図１８】図１７に示されるタイプの結合手段を有するネクタイの変形形態を着用した状態で示した図である。
【図１９】図１７に示されるタイプの結合手段を有するネクタイの変形形態を着用した状態で示した図である。
【図２０】図１７に示されるタイプの結合手段を有するネクタイの変形形態を着用した状態で示した図である。
【図２１】本考案のさらに異なる実施形態に係るネクタイを折り畳まれていない状態で示した概略図である。
【図２２】図２１に示されるタイプの結合手段を有するネクタイの変形形態を着用した状態で示した図である。
【図２３】図２１に示されるタイプの結合手段を有するネクタイの変形形態を着用した状態で示した図である。
【図２４】図２１に示されるタイプの結合手段を有するネクタイの変形形態を着用した状態で示した図である。
【図２５】本考案のさらに異なる実施形態に係る別のネクタイを折り畳まれていない状態で示した概略図である。
【図２６】図２５に示されるタイプの結合手段を有するネクタイの変形形態を着用した状態で示した図である。
【図２７】図２５に示されるタイプの結合手段を有するネクタイの変形形態を着用した状態で示した図である。
【図２８】図２５に示されるタイプの結合手段を有するネクタイの変形形態を着用した状態で示した図である。
【図２９】本考案の異なる実施形態に係るさらに別のネクタイを折り畳まれていない状態で示した概略図である。
【図３０】図２９に示されるタイプの結合手段を有するネクタイの変形形態を着用した状態で示した図である。
【図３１】図２９に示されるタイプの結合手段を有するネクタイの変形形態を着用した状態で示した図である。
【図３２】図２９に示されるタイプの結合手段を有するネクタイの変形形態を着用した状態で示した図である。
【考案を実施するための形態】
【０００７】
図１において、参照番号１０は、本考案の第１の実施形態に係るネクタイを示す。ネクタイ１０は、本明細書で「長手方向」と定義される方向に細長い形の生地片または他の可撓性材料片からなる。ネクタイは、２つの対向する長手方向端部である、第１の端部１１（本明細書では、自由端部と定義される）と、第２の端部１２とを有し、第２の端部１２は、１つまたは複数の結合手段２０、２１を有する。
【０００８】
いくつかの異なるタイプ（本明細書で後述する）の結合手段は、第１の端部１１を取り込んで通すことができる閉ループ通路１３（図６）を画定するように配置される。第１の端部１１は、着用した状態で、ネクタイを着用している人の胸の前で自由にぶら下がるように意図されている。
【０００９】
第２の端部１２は、ネクタイの長手方向に対して横方向または垂直方向に対向する２つの縁部または側部１４、１５を有する。
【００１０】
結合手段は、各々が２つの縁部１４、１５のうちの１つの近傍に配置される１つまたは複数のボタン２０と、１つまたは複数のそれぞれのボタン穴または小穴２１とを備えていてもよい。各ボタン穴は、各ボタンと横方向に位置合わせした位置、および対応するボタンのある縁部とは反対側の縁部の近傍に配置されてもよい。
【００１１】
閉じた状態（例えば、図６〜図８参照）では、ボタンは、それぞれのボタン穴に留められ、ネクタイの第２の端部１２がネクタイの第１の端部を通すことができる閉ループ通路１３を形成するように、２つの縁部１４、１５が実質的に重ね合わされた、または並置された状態で保持する。
【００１２】
好ましくは、結合手段は、閉じた状態で、ネクタイの第２の端部によって画定される閉ループ通路１３が通されるネクタイの長さ部分を囲み、より安定的に保持する長手方向に伸びた管状通路に相当するように、長手方向に分布し、または伸びる。このことにより、着用時のネクタイの美観が向上する。
【００１３】
図３および図４の例では、２つのボタン穴および２つのボタン４が結合手段として示されている。ボタンおよびボタン穴の数は、２つではなく、例えば、１つ（図１）、３つ（図２）、４つ、または４つより多くてもよい。図２〜図４に示される例のように、必ずしも全てのボタンが同じ縁部に配置され、ボタン穴が他方の縁部に配置される必要はない。あるいは、図示されていない他の実施形態によれば、ボタンおよびボタン穴は、両方の縁部１４，１５に沿って互い違いに配置されてもよい。
【００１４】
図４の実施形態では、ボタン穴２１は、縁部１５から外側に突出し、例えば、弾性材料、革ひも、糸でかがられたもの、または金属材料で作られてもよい。
【００１５】
ネクタイの要素間、ならびにネクタイを構成する材料間の寸法および距離は、限定的であると考えるべきではない。例えば、ボタン穴間またはボタン間の長手方向の距離は、着用した状態でネクタイが有するべきデザイン要件または美的効果に応じて変化してもよい。同様に、襟の周囲に巻かれる部分が直線状、またはより狭くなり得るネクタイの形状は、限定的な特徴を有しない。端部１１の先端は、下向きの先のとがった頂点を有するか、または横方向もしくは斜めに切断されてもよい。さらに、各結合要素とそれに近い縁部との間の横方向の距離は、必要に応じて変化してもよい。
【００１６】
ネクタイを構成する材料の種類は、実質的に、あらゆる種類の組織であってもよい。例えば、天然および／または合成繊維は、工業用繊維生地、スポーツウェア生地、ナノテクノロジー繊維を含む生地、貴金属のインサーションを含む生地、バイオ加工繊維を含む生地、従来の生地、有色有機生地、プリント生地、およびこれらの組合せで使用されてもよい。生地の代用として、可撓性シートの他の材料、例えば、天然もしくは人工の皮革、またはプラスチック材料が使用されてもよい。
【００１７】
生地は、片面または両面において、いくつかの重ね合わされた層が長手方向に中央で１回、または２回以上折り畳まれたものとしてもよい。
【００１８】
結合手段として、図５の例は、２つの縁部１４、１５の近傍で長手方向に整列した２列のボタン穴２１を示す。ボタン穴２１は、着用した状態で、ネクタイの一方の側で見えるようにし得るカフスボタンＧ（または他の結合要素）をそれぞれ受け入れる役割を果たす。
【００１９】
一実施形態によれば、結合手段は、フック片２３および毛状生地片２４がそれぞれネクタイの２つの縁部１４、１５と一体となって、好ましくは長手方向に伸びるＶｅｌｃｒｏ（登録商標）タイプの面ファスナ（図９〜図１２）を備えてもよい。この２つのフック片２３および毛状生地片２４は、２つの対向する縁部がネクタイをきちんとした状態で保持することができる通路１３を画定する状態を維持するように、効果的に協働することができるのであれば、（図９に示されている例のように）ネクタイの片側の同一面上でも２つの対向する面上でも構わずに貼り合わせられてもよい。
【００２０】
異なる結合手段が組み合わされてもよい。例えば、ボタンは、閉じた状態では目に見えないＶｅｌｃｒｏの面ファスナに実際の結合機能を委ねて、純粋に美観的な目的のために使用されてよい。
【００２１】
別の実施形態（図１３〜図１６）によれば、結合手段は、少なくとも１対、より好ましくは、２対以上のスナップ２２（または押しボタン）を備えてもよい。
【００２２】
別の実施形態（図１７〜２０）において、結合手段は、好ましくは長手方向に伸び、好ましくはそれぞれの縁部１４、１５に縫い付けられた２本のテープを有するジップファスナ２７を備えてもよい。
【００２３】
さらに別の実施形態（図２１〜図２４）によれば、結合手段は、縁部１４、１５を永久的につなぎ合わせることによって通路１３を画定する縫い目２６を含んでもよい。好ましくは、ネクタイは、縫い目が使用者の胸に面する状態で着用される。
【００２４】
変形形態（図２５〜図２８）によれば、通路１３を画定する結合手段は、スリーブ要素２５を含んでもよい。スリーブ要素２５は、ネクタイの一端１２に縫い付けられるか、またはいずれの場合も、シャツ襟の周囲に巻いて通路１３に他端を通すのに十分なネクタイの長さを確保するようなネクタイの位置に縫い付けられてもよい。
【００２５】
スリーブ要素２５は、弾性要素として形成されてもよい（図２９〜図３２）。
【００２６】
本明細書における例では、ネクタイの第２の端部の近くに配置される結合が示されているが、この配置は選択肢の１つであると考えられる。別の実施形態（図示せず）によれば、結合手段は、ネクタイの第２の端部１２から、例えば、ネクタイの中心に向かって、一定距離離間して配置されてもよい。結合手段の異なる配置決めにより、結ぶ必要がある従来のネクタイと同様に、ネクタイを着用している人の胸の前にぶら下がる２つの端部の存在が決まる。
【００２７】
ネクタイの様々な態様および実施形態について説明した。各々の実施形態は、他の実施形態と組み合わせされてもよい。さらに、本考案は、記載されている実施形態に限定されず、添付の請求項によって定義される範囲内で変更されてもよい。
【図１】
0003216101.tif 000003
【図２】
0003216101.tif 000004
【図３】
0003216101.tif 000005
【図４】
0003216101.tif 000006
【図５】
0003216101.tif 000007
【図６】
0003216101.tif 000008
【図７】
0003216101.tif 000009
【図８】
0003216101.tif 000010
【図９】
0003216101.tif 000011
【図１０】
0003216101.tif 000012
【図１１】
0003216101.tif 000013
【図１２】
0003216101.tif 000014
【図１３】
0003216101.tif 000015
【図１４】
0003216101.tif 000016
【図１５】
0003216101.tif 000017
【図１６】
0003216101.tif 000018
【図１７】
0003216101.tif 000019
【図１８】
0003216101.tif 000020
【図１９】
0003216101.tif 000021
【図２０】
0003216101.tif 000022
【図２１】
0003216101.tif 000023
【図２２】
0003216101.tif 000024
【図２３】
0003216101.tif 000025
【図２４】
0003216101.tif 000026
【図２５】
0003216101.tif 000027
【図２６】
0003216101.tif 000028
【図２７】
0003216101.tif 000029
【図２８】
0003216101.tif 000030
【図２９】
0003216101.tif 000031
【図３０】
0003216101.tif 000032
【図３１】
0003216101.tif 000033
【図３２】
0003216101.tif 000034
【手続補正書】
【提出日】平成30年3月15日(2018.3.15)
【手続補正２】
【補正対象書類名】実用新案登録請求の範囲
【補正対象項目名】全文
【補正方法】変更
【補正の内容】
【実用新案登録請求の範囲】
【請求項１】
２つの対向する長手方向端部（１１、１２）を有する生地片または他の可撓性シート材料片を備えるネクタイ（１０）であって、前記ネクタイは、前記２つの端部のうち少なくとも第１の端部（１１）から離れた位置に形成され、そのことにより前記第１の端部（１１）を取り込んで通すことができる閉ループ通路（１３）を画定するように構成された１つまたは複数の結合手段（２０〜２７）を前記ネクタイ上に備えることを特徴とする、ネクタイ（１０）。
【請求項２】
前記結合手段は、前記ネクタイの前記第１の端部（１１）とは反対側の前記第２の端部（１２）の近傍に配置されることを特徴とする、請求項１に記載のネクタイ。
【請求項３】
前記ネクタイは、前記ネクタイが伸びる長手方向に垂直な第２の横方向に対向する２つの縁部（１４、１５）を有し、前記結合手段は、前記縁部（１４、１５）両方の近傍に配置されることを特徴とする、請求項１または２に記載のネクタイ。
【請求項４】
前記結合手段は、前記閉ループ通路（１３）が長手方向に伸びる管状通路となるように、長手方向に分布する、または伸びることを特徴とする、請求項１または２または３に記載のネクタイ。
【請求項５】
前記結合手段は、少なくとも１つのボタン（２０）および前記ボタンと横方向に位置合わせされた少なくとも１つの対応するボタン穴（２１）、または長手方向に離間した複数のボタンおよび前記ボタンと横方向に位置合わせされた位置にそれぞれ配置された複数の対応するボタン穴を備える、請求項１〜４のいずれか一項に記載のネクタイ。
【請求項６】
前記結合手段は、着脱ボタン（２２）、面ファスナ（２３、２４）、ジップファスナ（２７）から選択された少なくとも１つの迅速な連結手段を備える、請求項１〜５のいずれか一項に記載のネクタイ。
【請求項７】
前記結合手段は、前記縁部（１４、１５）を接合することによって通路（１３）を画定する縫い目（２６）を備える、請求項３に記載のネクタイ。
【請求項８】
前記結合手段は、前記ネクタイに縫い付けられたスリーブ（２５）を備える、請求項１または２または３に記載のネクタイ。
【請求項９】
前記結合手段は、少なくとも１対の横方向に整列したボタン穴（２１）、または長手方向に離間した複数の組の横方向に整列したボタン穴を含む、請求項１〜４のいずれか一項に記載のネクタイ。